(57)【要約】【課題】プラズマディスプレイ装置の駆動回路の消費電力を抑えつつ傾斜電圧を発生させる。【解決手段】走査電極と維持電極とデータ電極とを有する放電セルを複数配列したプラズマディスプレイパネルと、走査電極に印加する駆動電圧波形を発生する走査電極駆動回路とを備えたプラズマディスプレイ装置であって、走査電極駆動回路は、ミラー積分回路で構成した下り傾斜電圧部６３と、インダクタＬ６５とダイオードＤ６５とスイッチング素子Ｑ６５とを直列に接続した電力回収部６５とを備え、スイッチング素子Ｑ６５を閉じて走査電極の負荷容量ＣｐとインダクタＬ６５とを共振させて走査電極の電圧を第１の電圧まで低下させ、その後、下り傾斜電圧部６３を用いて走査電極の電圧を第１の電圧から第２の電圧まで低下させる。【選択図】図６
2015064392.tif 000002
【特許請求の範囲】
【請求項１】
走査電極と維持電極とデータ電極とを有する放電セルを複数配列したプラズマディスプレイパネルと、前記走査電極に下り傾斜電圧を印加する走査電極駆動回路とを備えたプラズマディスプレイ装置であって、
前記走査電極駆動回路は、ミラー積分回路で構成した下り傾斜電圧部と、インダクタとダイオードとスイッチング素子とを直列に接続した電力回収部とを備え、
前記電力回収部の前記スイッチング素子を閉じて、前記走査電極の負荷容量と前記インダクタとを共振させて、前記走査電極の電圧を第１の電圧まで低下させ、
その後、前記下り傾斜電圧部の前記ミラー積分回路を動作させ、前記走査電極の電圧を前記第１の電圧から前記第２の電圧まで低下させることを特徴とするプラズマディスプレイ装置。
【発明の詳細な説明】
【技術分野】
【０００１】
本発明は、交流面放電型のプラズマディスプレイ装置に関する。
【背景技術】
【０００２】
表示デバイスとして代表的なプラズマディスプレイパネル（以下、「パネル」と略記する）は、１対の走査電極と維持電極とからなる表示電極対が複数形成された前面基板と、複数のデータ電極が形成された背面基板とを対向配置し、その間に多数の放電セルが形成されている。そして放電セル内のガス放電により紫外線を発生させ、この紫外線で赤色、緑色および青色の各色の蛍光体を励起発光させてカラー表示を行う。
【０００３】
パネルを駆動する方法としては、１フィールド期間を複数のサブフィールドに分割し、発光させるサブフィールドの組み合わせによって階調を表示するサブフィールド法が一般的である。各サブフィールドは、初期化期間、書込み期間および維持期間を有する。初期化期間では緩やかに変化する傾斜電圧を走査電極に印加して微弱な初期化放電を発生し、続く書込み動作に必要な壁電荷を各電極上に形成する。書込み期間では、放電セルで選択的に書込み放電を発生し壁電荷を形成する。そして維持期間では、走査電極と維持電極とからなる表示電極対に交互に維持パルスを印加し、書込み放電を起こした放電セルで維持放電を発生させ、対応する放電セルの蛍光体層を発光させることにより画像を表示する。
【０００４】
ここで、維持期間において表示電極対に印加する維持パルスは、消費電力を削減するために、表示電極対の電極間容量とインダクタとを共振させて表示電極対を駆動する、いわゆる電力回収回路を用いて発生させている（例えば、特許文献１参照）。
【０００５】
また、初期化期間において走査電極に印加する傾斜電圧は、ミラー積分回路を用いて発生させている（例えば、特許文献２参照）。
【先行技術文献】
【特許文献】
【０００６】
【特許文献１】特開平１１−２４２４５８号公報
【特許文献２】特開平１１−１３３９１４号公報
【発明の概要】
【発明が解決しようとする課題】
【０００７】
しかしながら、ミラー積分回路を用いて傾斜電圧を発生させる場合、必要以上の広い電圧範囲にわたってミラー積分回路を動作させると消費電力が大きくなるという課題があった。さらに最近のパネルの大画面化にともない、この消費電力の増加が無視できなくなってきた。ミラー積分回路は半導体素子を能動領域で使用するため、特性の完全に一致した半導体素子を使用しない限り半導体素子を並列接続して消費電力を分散させるという使い方ができない。そのため電力が増加すると使用できる半導体素子が限定され、またその放熱設計も難しくなる。
【０００８】
本発明は上記課題に鑑みなされたものであり、消費電力を抑えつつ傾斜電圧を発生させることが可能な駆動回路を備えたプラズマディスプレイ装置の駆動方法およびプラズマディスプレイ装置を提供することを目的とする。
【課題を解決するための手段】
【０００９】
上記目的を達成するために本発明は、走査電極と維持電極とデータ電極とを有する放電セルを複数配列したプラズマディスプレイパネルと、走査電極に印加する駆動電圧波形を発生する走査電極駆動回路とを備えたプラズマディスプレイ装置であって、走査電極駆動回路は、ミラー積分回路で構成した下り傾斜電圧部と、インダクタとダイオードとスイッチング素子とを直列に接続した電力回収部とを備え、スイッチング素子を閉じて走査電極の負荷容量とインダクタとを共振させて走査電極の電圧を第１の電圧まで低下させ、その後、下り傾斜電圧部を用いて走査電極の電圧を第１の電圧から第２の電圧まで低下させることを特徴とする。この構成により、消費電力を抑えつつ傾斜電圧を発生させることが可能な駆動回路を備えたプラズマディスプレイ装置を提供することができる。
【発明の効果】
【００１０】
本発明によれば、消費電力を抑えつつ傾斜電圧を発生させることが可能な駆動回路を備えたプラズマディスプレイ装置を提供することが可能となる。
【図面の簡単な説明】
【００１１】
【図１】本発明の実施の形態におけるプラズマディスプレイ装置のパネルの分解斜視図である。
【図２】同プラズマディスプレイ装置のパネルの電極配列図である。
【図３】同プラズマディスプレイ装置の駆動電圧波形図である。
【図４】同プラズマディスプレイ装置の回路ブロック図である。
【図５】同プラズマディスプレイ装置の走査電極駆動回路の回路図である。
【図６】同プラズマディスプレイ装置の下り傾斜電圧部および電力回収部の回路図である。
【図７】同プラズマディスプレイ装置の下り傾斜電圧の詳細を示すタイミングチャートである。
【発明を実施するための形態】
【００１２】
以下、本発明の実施の形態におけるプラズマディスプレイ装置について、図面を用いて説明する。
【００１３】
（実施の形態）
図１は、本発明の実施の形態におけるプラズマディスプレイ装置のパネル１０の分解斜視図である。ガラス製の前面基板１１上には、走査電極１２と維持電極１３とからなる表示電極対１４が複数形成されている。そして走査電極１２と維持電極１３とを覆うように誘電体層１５が形成され、その誘電体層１５上に保護層１６が形成されている。背面基板２１上にはデータ電極２２が複数形成され、データ電極２２を覆うように誘電体層２３が形成され、さらにその上に井桁状の隔壁２４が形成されている。そして、隔壁２４の側面および誘電体層２３上には赤色、緑色および青色の各色に発光する蛍光体層２５が設けられている。
【００１４】
これら前面基板１１と背面基板２１とは、微小な放電空間を挟んで表示電極対１４とデータ電極２２とが交差するように対向配置され、その外周部をガラスフリット等の封着材によって封着されている。そして放電空間には、例えばネオンとキセノンの混合ガスが放電ガスとして封入されている。本実施の形態においては、輝度向上のためにキセノン分圧を１０％とした放電ガスが用いられている。放電空間は隔壁２４によって複数の区画に仕切られており、表示電極対１４とデータ電極２２とが交差する部分に放電セルが形成されている。そしてこれらの放電セルが放電、発光することにより画像が表示される。
【００１５】
このように本実施の形態におけるパネルは走査電極１２と維持電極１３とを有する放電セルを複数配列した構成である。なお、パネル１０は上述したものに限られるわけではなく、例えばストライプ状の隔壁を備えたものであってもよい。
【００１６】
図２は、本発明の実施の形態におけるプラズマディスプレイ装置のパネル１０の電極配列図である。パネル１０には、行方向に長いｎ本の走査電極１２およびｎ本の維持電極１３が配列され、列方向に長いｍ本のデータ電極２２が配列されている。そして、１対の走査電極１２および維持電極１３と１つのデータ電極２２とが交差した部分に放電セルが形成され、放電セルは放電空間内にｍ×ｎ個形成されている。なお、図１、図２に示したように、走査電極１２と維持電極１３とは互いに平行に対をなして形成されているために、走査電極１２と維持電極１３との間に大きな電極間容量が存在し、また走査電極１２とデータ電極２２との間、維持電極１３とデータ電極２２との間にも電極間容量が存在する。そのため走査電極１２、維持電極１３、データ電極２２はそれぞれ容量性の負荷となる。以下、特に走査電極１２の負荷容量を容量Ｃｐと記載する。
【００１７】
次に、パネル１０を駆動するための駆動方法について説明する。パネル１０はサブフィールド法、すなわち１フィールド期間を複数のサブフィールドに分割し、サブフィールド毎に各放電セルの発光・非発光を制御することによって階調表示を行う。それぞれのサブフィールドは初期化期間、書込み期間および維持期間を有する。
【００１８】
初期化期間では、緩やかに上昇する傾斜電圧および緩やかに低下する傾斜電圧の少なくとも一方を走査電極に印加して微弱な初期化放電を発生し、続く書込み放電に必要な壁電荷を各電極上に形成する。このときの初期化動作には、全ての放電セルで強制的に初期化放電を発生させる強制初期化動作と、直前のサブフィールドで維持放電を発生した放電セルで初期化放電を発生させる選択初期化動作とがある。書込み期間では、走査電極１２に走査パルスを印加するとともにデータ電極２２に選択的に書込みパルスを印加して、発光させるべき放電セルで選択的に書込み放電を発生し壁電荷を形成する。維持期間では、輝度重みに応じた数の維持パルスを走査電極１２および維持電極１３に交互に印加して、書込み放電を発生した放電セルで維持放電を発生させて発光させる。
【００１９】
本実施の形態においては、１フィールドを１０のサブフィールド（ＳＦ１、ＳＦ２、・・・、ＳＦ１０）に分割し、各サブフィールドはそれぞれ、例えば（１、２、３、６、１１、１８、３０、４４、６０、８０）の輝度重みを持つものとする。またサブフィールドＳＦ１を強制初期化動作を行うサブフィールド、それ以降のサブフィールドＳＦ２〜ＳＦ１０を選択初期化動作を行うサブフィールドとする。しかし、本発明は、サブフィールド数や各サブフィールドの輝度重みが上記の値に限定されるものではなく、また、画像信号等にもとづいてサブフィールド構成を切換えてもよい。
【００２０】
図３は、本発明の実施の形態におけるプラズマディスプレイ装置の駆動電圧波形図であり、各サブフィールドにおいてパネル１０の各電極に印加する駆動電圧波形を示している。
【００２１】
サブフィールドＳＦ１の初期化期間Ｔｉの前半部では、データ電極２２に電圧０（Ｖ）を印加し、維持電極１３に電圧０（Ｖ）を印加する。そして電圧Ｖｉ１から電圧Ｖｉ２に向かって緩やかに上昇する傾斜電圧を走査電極１２に印加する。この傾斜電圧が上昇する間に、走査電極１２と維持電極１３およびデータ電極２２との間でそれぞれ微弱な初期化放電が起こり、それぞれの電極上に壁電圧が蓄積される。ここで、電極上の壁電圧とは電極を覆う誘電体層上、保護層上、蛍光体層上等に蓄積された壁電荷により生じる電圧を表す。
【００２２】
初期化期間Ｔｉの後半部では、維持電極１３に正の電圧Ｖｅを印加し、電圧Ｖｉ３から電圧Ｖｉ４に向かって緩やかに低下する傾斜電圧を走査電極１２に印加する。するとこの間に再び微弱な初期化放電が起こり、各電極上の壁電圧は書込み動作に適した値に調整される。
【００２３】
このように、サブフィールドＳＦ１の初期化期間Ｔｉでは、全ての放電セルで強制的に初期化放電を発生させる強制初期化動作を行う。
【００２４】
サブフィールドＳＦ１の書込み期間Ｔｗでは、走査電極１２に電圧Ｖｃを印加する。
【００２５】
次に、１行目の走査電極１２に負極性の電圧Ｖａの走査パルスを印加する。そして、データ電極２２のうち１行目に発光させるべき放電セルのデータ電極２２に正極性の電圧Ｖｄの書込みパルスを印加する。すると１行目の放電セルのうち書込みパルスを印加した放電セルでは書込み放電が起こり、各電極上に壁電圧を蓄積する書込み動作が行われる。一方、書込みパルスを印加しなかった放電セルでは書込み放電は発生しない。このようにして選択的に書込み動作を行う。
【００２６】
次に、２行目の走査電極１２に走査パルスを印加するとともに、データ電極２２のうち２行目に発光させるべき放電セルのデータ電極２２に書込みパルスを印加する。すると２行目の放電セルで選択的に書込み放電が起こる。以上の書込み動作をｎ行目の放電セルに至るまで行う。
【００２７】
サブフィールドＳＦ１の維持期間Ｔｓでは、維持電極１３に電圧０（Ｖ）を印加し、走査電極１２に電圧Ｖｓの維持パルスを印加する。すると書込み期間Ｔｗにおいて書込み放電を起こした放電セルで維持放電が発生する。
【００２８】
次に、維持電極１３に電圧Ｖｓの維持パルスを印加し、走査電極１２に電圧０（Ｖ）を印加する。すると書込み期間Ｔｗにおいて書込み放電を起こした放電セルでは再び維持放電が発生する。
【００２９】
以下同様に、走査電極１２および維持電極１３に交互に維持パルスを輝度重みに応じた数だけ印加する。これにより、書込み期間Ｔｗにおいて書込み放電を起こした放電セルで継続して維持放電が発生する。
【００３０】
そして、維持期間Ｔｓの最後には、維持電極１３を電圧０（Ｖ）に戻した後、走査電極１２に電圧Ｖｒまで緩やかに上昇する上り傾斜電圧を印加する。すると維持放電を起こした放電セルで弱い放電が起こり、走査電極１２上と維持電極１３上との間の壁電圧が弱められる。その後、走査電極１２に印加する電圧を電圧０（Ｖ）に戻す。
【００３１】
続くサブフィールドＳＦ２の初期化期間Ｔｉでは、詳細については後述するが、走査電極１２の電圧をまず第１の電圧（−２Ｖｘ）まで低下させ、その後、第１の電圧（−２Ｖｘ）から第２の電圧Ｖｉ４まで低下させる。すると、サブフィールドＳＦ１の維持期間Ｔｓにおいて維持放電を行った放電セルで微弱な初期化放電が発生し、各電極上の壁電圧は書込み動作に適した値に調整される。このように、サブフィールドＳＦ２の初期化期間Ｔｉでは、維持放電を行った放電セルで初期化放電を発生させる選択初期化動作を行う。
【００３２】
続く書込み期間Ｔｗ、維持期間ＴｓはサブフィールドＳＦ１の書込み期間Ｔｗ、維持期間Ｔｓと維持パルス数を除いてほぼ同様であるため説明を省略する。またそれ以降のサブフィールドＳＦ３〜ＳＦ１０についても維持パルス数を除いてサブフィールドＳＦ２の動作と同様である。
【００３３】
なお、本実施の形態において各電極に印加する電圧値は、例えば、電圧Ｖｉ１＝１５０（Ｖ）、電圧Ｖｉ２＝３７０（Ｖ）、電圧Ｖｉ３＝０（Ｖ）、電圧Ｖｉ４＝−１７０（Ｖ）、電圧Ｖｃ＝−５０（Ｖ）、電圧Ｖａ＝−２００（Ｖ）、電圧Ｖｓ＝２２０（Ｖ）、電圧Ｖｒ＝２２０（Ｖ）、電圧Ｖｅ＝１５０（Ｖ）、電圧Ｖｄ＝６０（Ｖ）である。ただしこれらの電圧値は、単に一例を挙げたに過ぎず、パネルの特性やプラズマディスプレイ装置３０の仕様等に合わせて、適宜最適な値に設定することが望ましい。
【００３４】
図４は、本発明の実施の形態１におけるプラズマディスプレイ装置３０の回路ブロック図である。プラズマディスプレイ装置３０は、パネル１０、画像信号処理回路３１、データ電極駆動回路３２、走査電極駆動回路３３、維持電極駆動回路３４、タイミング発生回路３５および各回路ブロックに必要な電源を供給する電源回路（図示せず）を備えている。
【００３５】
画像信号処理回路３１は、入力された画像信号をサブフィールド毎の発光・非発光を示す画像データに変換する。データ電極駆動回路３２はサブフィールド毎の画像データを各データ電極２２に対応する書込みパルスに変換し各データ電極２２を駆動する。タイミング発生回路３５は水平同期信号、垂直同期信号をもとにして各回路ブロックの動作を制御する各種のタイミング信号を発生し、それぞれの回路ブロックへ供給する。走査電極駆動回路３３は、タイミング信号にもとづいて各走査電極１２をそれぞれ駆動する。維持電極駆動回路３４は、タイミング信号にもとづいて維持電極１３を駆動する。
【００３６】
図５は、本発明の実施の形態におけるプラズマディスプレイ装置３０の走査電極駆動回路３３の回路図である。図５には後の説明のために、パネル１０の走査電極の負荷容量Ｃｐも示している。走査電極駆動回路３３は、維持パルス発生部５０と、傾斜電圧発生部６０と、走査パルス発生部７０とを備える。
【００３７】
維持パルス発生部５０は、電力回収部５１とクランプ部５６とを有する。
【００３８】
電力回収部５１は、コンデンサＣ５１と、インダクタＬ５１と、スイッチング素子Ｑ５１、Ｑ５２と、ダイオードＤ５１〜Ｄ５４とを有する。そして、負荷容量ＣｐとインダクタＬ５１とを共振させて維持パルスの立ち上がりまたは立ち下がりを行う。維持パルスの立ち上がり時にはスイッチング素子Ｑ５１をオンにして、コンデンサＣ５１からインダクタＬ５１、スイッチング素子Ｑ５１を介して負荷容量Ｃｐに電荷を移動する。維持パルスの立ち下がり時にはスイッチング素子Ｑ５２をオンにして、ダイオードＤ５１、インダクタＬ５１を介して負荷容量Ｃｐの電荷をコンデンサＣ５１に戻す。このように電力回収部５１は電源から電力を供給されることなく共振によって走査電極１２の駆動を行うため、理想的には消費電力が「０」となる。なおダイオードＤ５３とダイオードＤ５４とはインダクタＬ５１で発生するスパイク電圧を吸収するダイオードである。またコンデンサＣ５１は負荷容量Ｃｐに比べて十分に大きい容量を持ち、電圧（Ｖｓ／２）に充電されており、電力回収部５１の電源として働く。
【００３９】
クランプ部５６は、スイッチング素子Ｑ５６、Ｑ５７と、ダイオードＤ５６、Ｄ５７とを有する。そしてスイッチング素子Ｑ５６をオンにして走査電極１２を電圧Ｖｓにクランプし、スイッチング素子Ｑ５７をオンにして走査電極１２を電圧０（Ｖ）にクランプする。このようにクランプ部５６は維持パルスの電圧を電圧Ｖｓまたは電圧０（Ｖ）にクランプする。したがってクランプ部５６による電圧印加時のインピーダンスは小さく、強い維持放電による大きな放電電流を安定して流すことができる。なおダイオードＤ５６およびダイオードＤ５７は逆方向の電流をバイパスするために設けている。
【００４０】
そして電力回収部５１およびクランプ部５６は走査パルス発生部７０の基準電位（図５に示した節点Ｐ７０の電位）に維持パルスを出力し、走査パルス発生部７０（維持期間Ｔｓ中は短絡状態となる）を介して走査電極１２に、図３に示した維持パルスを印加する。
【００４１】
走査パルス発生部７０は、電源Ｅ７１と、スイッチング素子Ｑ７１Ｈ１〜Ｑ７１Ｈｎと、スイッチング素子Ｑ７１Ｌ１〜Ｑ７１Ｌｎと、スイッチング素子Ｑ７２とを有する。そして電圧Ｖａの電源、および走査パルス発生部７０の基準電位に重畳された電圧Ｖｐの電源Ｅ７１をもとにして走査パルスを発生する。スイッチング素子Ｑ７２をオンにし、スイッチング素子Ｑ７１Ｈｉをオンにすることで走査電極１２に電圧（Ｖｐ＋Ｖａ）を印加する。ここで電圧（Ｖｐ＋Ｖａ）は電圧Ｖｃに等しい。またスイッチング素子Ｑ７２をオンにし、スイッチング素子Ｑ７１Ｌｉをオンにすることで走査電極１２に電圧Ｖａを印加する。こうして図３に示したタイミングで走査パルスを順次印加する。なお、スイッチング素子Ｑ７２をオフにすることで、維持パルス発生部５０の出力電圧あるいは後述する傾斜電圧発生部６０の出力電圧をそのまま、あるいは電圧Ｖｐを重畳して出力する。すなわち、節点Ｐ７０の電圧、あるいは節点Ｐ７０の電圧に電圧Ｖｐを重畳した電圧を走査電極１２に印加する。
【００４２】
傾斜電圧発生部６０は、上り傾斜電圧部６１と、下り傾斜電圧部６３と、電力回収部６５とを備え、図３に示した傾斜電圧を発生させる。上り傾斜電圧部６１は、トランジスタＱ６１とコンデンサＣ６１と抵抗Ｒ６１とを有するミラー積分回路で構成され、入力端子ＩＮ６１に一定の電圧を印加することにより、電圧Ｖｒに向かって上昇する上り傾斜電圧を発生する。例えばスイッチング素子Ｑ７１Ｈ１〜Ｑ７１Ｈｎをオンにして上り傾斜電圧部６１を動作させると、サブフィールドＳＦ１の初期化期間Ｔｉの前半部に示したように、電圧（Ｖｒ＋Ｖｐ）に向かって上昇する上り傾斜電圧を発生させることができる。ここで電圧（Ｖｒ＋Ｖｐ）は電圧Ｖｉ２に等しい。またスイッチング素子Ｑ７１Ｌ１〜Ｑ７１Ｌｎをオンにして上り傾斜電圧部６１を動作させると、サブフィールドＳＦ１〜ＳＦ３の維持期間Ｔｓに示したように、電圧Ｖｒに向かって上昇する上り傾斜電圧を発生させることができる。
【００４３】
図６は、本発明の実施の形態におけるプラズマディスプレイ装置３０の下り傾斜電圧部６３および電力回収部６５の回路図である。下り傾斜電圧部６３は、電圧Ｖｉ４の電源Ｅ６３とトランジスタＱ６３とコンデンサＣ６３と抵抗Ｒ６３とを有するミラー積分回路で構成され、入力端子ＩＮ６３に一定の電圧を印加することにより、選択初期化動作を行うサブフィールドＳＦ２〜ＳＦ８の初期化期間Ｔｉで、電圧Ｖｉ４に向かって低下する下り傾斜電圧を発生する。
【００４４】
電力回収部６５は、電圧Ｖｘの電源Ｅ６５とインダクタＬ６５とダイオードＤ６５とスイッチング素子Ｑ６５とを有し、それらが節点Ｐ７０と接地電位との間に直列に接続されている。電圧Ｖｘは、絶対値が電圧（Ｖｉ４／２）よりも低い電圧である。そしてスイッチング素子Ｑ６５をオンにすることにより、走査電極１２の負荷容量ＣｐとインダクタＬ６５とを共振させて、節点Ｐ７０の電圧を所定の電圧まで低下させる。本実施の形態においては、選択初期化動作を行うサブフィールドＳＦ２〜ＳＦ８の初期化期間Ｔｉにおいて、節点Ｐ７０の電圧を電圧０（Ｖ）から電圧（−２Ｖｘ）付近まで低下させる。
【００４５】
傾斜電圧発生部６０のスイッチング素子Ｑ６９は分離スイッチであり、走査電極駆動回路３３を構成するスイッチング素子の寄生ダイオード等を介して電流が逆流するのを防止するために設けられている。
【００４６】
なお、これらのスイッチング素子およびトランジスタは、ＭＯＳＦＥＴやＩＧＢＴ等の一般に知られた素子を用いて構成することができる。またこれらのスイッチング素子およびトランジスタは、タイミング発生回路３５で発生したそれぞれのスイッチング素子およびトランジスタに対応するタイミング信号により制御される。
【００４７】
このように、本実施の形態における走査電極駆動回路３３は、ミラー積分回路で構成した下り傾斜電圧部６３と、インダクタＬ６５とダイオードＤ６５とスイッチング素子Ｑ６５とを直列に接続した電力回収部６５とを備え、走査電極１２に下り傾斜電圧を印加する。
【００４８】
次に、選択初期化を行うサブフィールドＳＦ２〜ＳＦ１０の初期化期間Ｔｉにおいて走査電極１２に印加する下り傾斜電圧の詳細について説明する。図７は、本発明の実施の形態におけるプラズマディスプレイ装置３０の下り傾斜電圧の詳細を示すタイミングチャートであり、そのときのインダクタＬ６５に流れる電流も示している。
【００４９】
ここでは、サブフィールドＳＦ２〜ＳＦ１０の初期化期間Ｔｉを期間Ｔ１１〜期間Ｔ１４の４つの期間に分け、それぞれの期間について詳細に説明する。
【００５０】
初期化期間Ｔｉの直前、すなわち維持期間Ｔｓの最後では、走査電極１２に電圧０（Ｖ）が印加されている。したがって節点Ｐ７０は電圧０（Ｖ）であり、インダクタＬ６５の両端子の節点Ｐ６５および節点Ｐ６６の電圧は電圧Ｖｘである。
【００５１】
（期間Ｔ１１）
時刻ｔ１１で電力回収部６５のスイッチング素子Ｑ６５をオンにする。すると節点Ｐ６６が電圧０（Ｖ）になり、インダクタＬ６５に電流が流れ始める。この電流は、走査電極１２からスイッチング素子Ｑ７１Ｌ１〜Ｑ７１Ｌｎ、電源Ｅ６５、インダクタＬ６５、ダイオードＤ６５、スイッチング素子Ｑ６５を通して接地電位へ電流が流れるので、走査電極１２の電圧が下がり始める。
【００５２】
インダクタＬ６５と負荷容量Ｃｐとの共振周期の１／４の後には、インダクタＬ６５に流れる電流の絶対値が最大となり、走査電極１２の電圧はほぼ電圧（−Ｖｘ）まで低下する。そしてその後はインダクタＬ６５に流れる電流の絶対値が減少し始め、走査電極１２の電圧は電圧（−Ｖｘ）を超えて低下する。このように第１の期間Ｔ１１では、負荷容量ＣｐとインダクタＬ６５とを共振させて、走査電極１２の電圧を低下させる。
【００５３】
（期間Ｔ１２）
インダクタＬ６５と負荷容量Ｃｐとの共振周期の１／２の後の時刻ｔ１２には、インダクタＬ６５に流れる電流の絶対値が「０」となり、走査電極１２の電圧はほぼ電圧（−２Ｖｘ）まで低下する。そしてその後はダイオードＤ６５が電流の逆流を防止するので、走査電極１２の電圧は変化しない。
【００５４】
（期間Ｔ１３）
時刻ｔ１２から所定の時間経過後の時刻ｔ１３において、スイッチング素子Ｑ６５をオフにする。このとき走査電極１２の電圧、すなわち節点Ｐ７０の電圧は電圧（−２Ｖｘ）付近のままで変化しない。
【００５５】
（期間Ｔ１４）
時刻ｔ１４で入力端子ＩＮ６３に一定の電圧を印加して下り傾斜電圧部６３を動作させる。すると節点Ｐ７０の電圧、すなわち走査電極１２の電圧は電圧（−２Ｖｘ）から電圧Ｖｉ４まで緩やかに低下する。すると、直前のサブフィールドの維持期間Ｔｓにおいて維持放電を行った放電セルで微弱な初期化放電が発生し、各電極上の壁電圧は書込み動作に適した値に調整される。
【００５６】
このように本実施の形態においては、下り傾斜電圧部６３のみを用いて下り傾斜電圧を発生させるのではなく、電力回収部６５のスイッチング素子Ｑ６５を閉じて、走査電極１２の負荷容量ＣｐとインダクタＬ６５とを共振させて、走査電極１２の電圧を第１の電圧（−２Ｖｘ）まで低下させ、その後、下り傾斜電圧部６３のミラー積分回路を動作させ、走査電極１２の電圧を第１の電圧（−２Ｖｘ）から第２の電圧Ｖｉ４まで低下させている。そのため下り傾斜電圧部６３を動作させる電圧範囲を狭めることができ、下り傾斜電圧部６３に使用できる半導体素子の選択範囲が広がり、またその放熱設計も容易となる。そして汎用の半導体素子を用いてコンパクトな下り傾斜電圧部６３を実現することができる。
【００５７】
なお本実施の形態においては、期間Ｔ１１は１０μｓ、期間Ｔ１２は２．５μｓ、期間Ｔ１３は０μｓ、期間Ｔ１４は３０μｓに設定し、第１の電圧（−２Ｖｘ）は電圧−１００（Ｖ）、第２の電圧Ｖｉ４は電圧−１７０（Ｖ）に設定している。しかし本発明はこれらの値に限定されるものではない。
【００５８】
また実施の形態において用いた他の具体的な各数値も、単に一例を挙げたに過ぎず、パネルの特性やプラズマディスプレイ装置の仕様等に合わせて、適宜最適な値に設定することが望ましい。
【産業上の利用可能性】
【００５９】
本発明の駆動回路は、消費電力を抑えつつ傾斜電圧を発生させることが可能であり、プラズマディスプレイ装置として有用である。
【符号の説明】
【００６０】
１０    パネル
１２    走査電極
１３    維持電極
１４    表示電極対
２２    データ電極
３０    プラズマディスプレイ装置
３１    画像信号処理回路
３２    データ電極駆動回路
３３    走査電極駆動回路
３４    維持電極駆動回路
３５    タイミング発生回路
５０，８０    維持パルス発生部
５１，８１    電力回収部
５６，８６    クランプ部
６０    傾斜電圧発生部
６１    上り傾斜電圧部
６３    下り傾斜電圧部
６５    電力回収部
７０    走査パルス発生部
Ｃｐ    負荷容量
Ｌ６５    インダクタ
Ｄ６５    ダイオード
Ｑ６５    スイッチング素子
Ｅ６５    電源
【図１】
2015064392.tif 000003
【図２】
2015064392.tif 000004
【図３】
2015064392.tif 000005
【図４】
2015064392.tif 000006
【図５】
2015064392.tif 000007
【図６】
2015064392.tif 000008
【図７】
2015064392.tif 000009